(57)【要約】【課題】  所定の条件により画像記録を停止した場合でも、条件が解消された後に自動的に画像記録を再開させることで、重要なシーンの撮り逃しを防止する。【解決手段】  本発明は、撮像して得たデータを電気信号に変換し、この電気信号をデジタル変換して所定の画像データとして画像記録を行う電子カメラ装置において、画像データを記録媒体に記憶させると共に、所定の条件に基づいて画像記録を停止させ、所定の条件が解消した場合には、停止された画像記録処理を再開させる。【選択図】      図１
2006101136.tif 000002
【特許請求の範囲】
【請求項１】
撮像して得たデータを電気信号に変換し、この電気信号をデジタル変換して所定の画像データとして画像記録を行う電子カメラ装置において、
前記画像データを記録媒体に記憶させる画像データ記録手段と、
所定の条件に基づいて画像記録を停止させる画像記録停止手段と、
前記所定の条件が解消した場合に、前記画像記録停止手段によって停止された画像記録処理を再開させる画像記録再開手段と
を備えたことを特徴とする電子カメラ装置。
【請求項２】
前記画像記録再開手段は、再開させる回数を制限することを特徴とする請求項１記載の電子カメラ装置。
【請求項３】
請求項１記載の電子カメラ装置において、
前記画像データを記憶するバッファメモリを備え、
前記画像記録停止手段は、前記画像データが前記バッファメモリの容量制限に達した場合に画像記録を停止させることを特徴とする電子カメラ装置。
【請求項４】
請求項３記載の電子カメラ装置において、
前記画像記録再開手段は、前記バッファメモリへの画像データのバッファリングが可能と判断した場合に、前記画像記録停止手段によって停止された画像記録処理を再開させることを特徴とする電子カメラ装置。
【請求項５】
請求項１記載の電子カメラ装置において、
前記画像記録停止手段は、前記画像データが、その記録先のファイルシステムのファイルサイズ制限に達した場合に画像記録を停止させることを特徴とする電子カメラ装置。
【請求項６】
前記画像データが、その記録先のファイルシステムのファイルサイズ制限に達した場合に新たなファイルを作成するファイル作成手段を備え、
前記画像記録再開手段は、前記ファイル作成手段により作成された前記新たなファイルへの画像データの書き込みが可能と判断した場合に、前記画像記録停止手段によって停止された画像記録処理を再開させることを特徴とする請求項５記載の電子カメラ装置。
【請求項７】
請求項１記載の電子カメラ装置において、
前記画像記録停止手段は、前記画像データが、その記録先の記録媒体の制限容量に達した場合に画像記録を停止させることを特徴とする電子カメラ装置。
【請求項８】
前記画像データが、その記録先の記録媒体の制限容量に達した場合に、記録先を他の記録媒体に変更する記録媒体変更手段を備え、
前記画像記録再開手段は、前記記録媒体変更手段により記録先が変更された前記他の記録媒体への画像データの書き込みが可能と判断した場合に、前記画像記録停止手段によって停止された画像記録処理を再開させることを特徴とする請求項７記載の電子カメラ装置。
【請求項９】
撮像して得たデータを電気信号に変換し、この電気信号をデジタル変換して所定の画像データとして画像記録を行う電子カメラ装置のデータ記録方法において、
前記画像データを記録媒体に記憶させるステップと、
所定の条件に基づいて画像記録を停止させる記録停止ステップと、
前記所定の条件が解消した場合に、前記記録停止ステップによって停止された画像記録処理を再開させる画像記録再開ステップと
を備えたことを特徴とする電子カメラ装置のデータ記録方法。
【請求項１０】
撮像して得たデータを電気信号に変換し、この電気信号をデジタル変換して所定の画像データとして画像記録を行う電子カメラ装置のデータ記録方法において、
前記画像データをバッファメモリに記憶させるステップと、
前記バッファメモリ記憶された前記画像データを記録媒体に記憶させるステップと、
前記画像データが前記バッファメモリの制限容量に達した場合に、画像記録を停止させる記録停止ステップと、
前記バッファメモリへの画像データの書き込みが可能と判断した場合に、前記記録停止ステップによって停止された画像記録処理を再開させる画像記録再開ステップと
を備えたことを特徴とする電子カメラ装置のデータ記録方法。
【請求項１１】
撮像して得たデータを電気信号に変換し、この電気信号をデジタル変換して所定の画像データとして画像記録を行う電子カメラ装置のデータ記録方法において、
前記画像データを記録媒体に記憶させるステップと、
前記画像データが、その記録先のファイルシステムのファイルサイズ制限に達した場合に画像記録を停止させる記録停止ステップと、
前記画像データが、その記録先のファイルシステムのファイルサイズ制限に達した場合に新たな記録先ファイルを作成するステップと、
前記新たな記録先ファイルへの画像データの書き込みが可能と判断した場合に、前記記録停止ステップによって停止された画像記録処理を再開させる画像記録再開ステップと
を備えたことを特徴とする電子カメラ装置のデータ記録方法。
【請求項１２】
撮像して得たデータを電気信号に変換し、この電気信号をデジタル変換して所定の画像データとして画像記録を行う電子カメラ装置のデータ記録方法において、
前記画像データを記録媒体に記憶させるステップと、
前記画像データが、その記録先の記録媒体の制限容量に達した場合に画像記録を停止させる記録停止ステップと、
前記画像データが、その記録先の記録媒体の制限容量に達した場合に、記録先を他の記録媒体に変更するステップと、
前記他の記録媒体への画像データの書き込みが可能と判断した場合に、前記記録停止ステップによって停止された画像記録処理を再開させる画像記録再開ステップと
を備えたことを特徴とする電子カメラ装置のデータ記録方法。
【発明の詳細な説明】
【技術分野】
【０００１】
本発明は、電子カメラ装置等のデータを記録メディアに記録する機能を備えた電子機器に関し、特に、記録メディアに記録された画像データ、音声データ等のデータをフラッシュメモリ等のメモリカード（ＳＤ−ＣＡＲＤ）や磁気ハードディスクを用いたＨＤＤ（Ｈａｒｄ  Ｄｉｓｋ  Ｄｒｉｖｅ）装置に記録するようにした電子機器に関する。
【背景技術】
【０００２】
撮像素子として、ＣＣＤ（Charge Coupled Device）等の固体撮像素子を用い、撮像した画像データあるいは音声データをフラッシュメモリ等の不揮発性メモリカードを記録メディアとして記録するようにした電子カメラ装置が市場に登場して久しいが、撮影素子の高解像度化、記録メディアの大容量化が進み、最近では、静止画像データだけでなく、動画像データ、音声データを記録メディアに記録させる機能を持った製品が市場に提供されつつある。
【０００３】
そのため、記録メディアとしてメモリーカードだけでなく、磁気ハードディスクを用いたＨＤＤ（Ｈａｒｄ  Ｄｉｓｋ  Ｄｒｉｖｅ）装置にも記録できるようにしたものも提供されている。
【０００４】
このように、ユーザは記録メディアを自由に選択しながら、静止画像や動画像を所望の記録メディアに記録保存することができ、格段に使い勝手が良くなってきている。
【０００５】
特許文献１には、カメラ本体に何らかの原因で振動や衝撃などの外乱が加えられるような撮影条件下において、磁気ディスクの回転が外乱によって影響され、品質のよい画像記録の前提となる磁気ディスクの定速回転が保証されない場合に、先に撮像した画像情報の記録、画像処理を完了させた後に、新たに撮像しなければならなかったという課題に対し、先に撮像された画像情報の画像処理、記録媒体への記録が完了するのを待つことなく、新たな撮像を可能として、例えば、外乱に弱いものの安価で大容量の記録媒体である磁気ディスクのような記録媒体を用いた場合でも、撮影した画像の情報を品質よく良好に記録することができる電子カメラが開示されている。
【特許文献１】特許第３０７７６８２号公報
【発明の開示】
【発明が解決しようとする課題】
【０００６】
しかしながら、特許文献１記載のカメラ装置では、複数の画像情報を格納可能な半導体メモリを設ける必要がある。また、従来の装置では、静止画、特に連写機能を用いた静止画像、および動画像データの画像記録において、記録媒体への記録が間に合わない等の理由によりバッファ容量制限に達した場合や、記録先ファイルのファイルサイズの上限に達してしまったような場合には画像記録が終了され、使用者に対しては警告表示などにより注意喚起がされるのみであった。従って、カメラ装置を三脚等で所定の位置に置き、所望の映像を記録させるような状況においては注意喚起に気づかない場合もあり、後に気づいたときには大切なシーンを撮り逃してしまうという不都合がある。
【０００７】
そこで本発明の目的は、所定の条件により画像記録を停止した場合でも、条件が解消された後に自動的に画像記録を再開させることで、重要なシーンの撮り逃しを防止するようにしたカメラ装置を提供することにある。
【課題を解決するための手段】
【０００８】
上記目的を達成するために、本発明は、撮像して得たデータを電気信号に変換し、この電気信号をデジタル変換して所定の画像データとして画像記録を行う電子カメラ装置において、画像データを記録媒体に記憶させる画像データ記録手段と、所定の条件に基づいて画像記録を停止させる画像記録停止手段と、所定の条件が解消した場合に、画像記録停止手段によって停止された画像記録処理を再開させる画像記録再開手段とを備える。
【発明の効果】
【０００９】
本発明によれば、所定の条件により画像記録を停止した場合でも、条件が解消された後に自動的に画像記録を再開させることで、重要なシーンの撮り逃しを防止するようにしたカメラ装置を提供することができる。
【発明を実施するための最良の形態】
【００１０】
以下、本発明の一実施例である電子カメラ装置について図面を参照しながら説明する。
【実施例１】
【００１１】
本発明の第一の実施例は、電子カメラに適用した例を用いて説明する。図１は、本発明の一実施例である電子カメラの全体構成を示すブロック図、図２は、本発明の一実施例である電子カメラ１００の外観構成を示す背面斜視図である。
【００１２】
図１において、電子カメラ１００は、撮像レンズにより被写体の光学像を結像して電気信号に変換するＣＣＤ１０１と、このＣＣＤ１０１よりの電気信号をデジタル信号に変換するフロントエンドプロセッサー（ＦＥＰ）１０２と、このデジタル信号を入力して所定の画像変換処理を行うと共に、画像変換を行った画像データを記録媒体であるハードディスク（主記録媒体）１０６やＳＤ−ＣＡＲＤ（副記録媒体）１０７にメモリーコントローラ１０５を使用して記録を行うデジタルシグナルプロセッサー（ＤＳＰ）１０３と、ハードディスク１０６やＳＤ−ＣＡＲＤ１０７への記録時の速度安定化や書き込み速度不足を補うためのバッファメモリ１０４と、現在撮像している画像等を出力表示するための液晶表示パネル（ＬＣＤ）１０８とから構成されている。
【００１３】
このように構成された電子カメラ１００は、ＣＣＤ１０１が撮像レンズにより被写体の光学像を結像して電気信号に変換し、この電気信号をＦＥＰ１０２にてデジタル信号に変換する。ＤＳＰ１０３は、ＦＥＰ１０２より入力したデジタル信号に所定の画像変換処理を行い、画像変換処理された画像データを記録媒体であるハードディスク（主記録媒体）１０６やＳＤ−ＣＡＲＤ（副記録媒体）１０７にメモリーコントローラ１０５を使用して記録する。また、ＤＳＰ１０３は、現在撮像している画像のデータをＬＣＤ１０８に出力表示させる。バッファメモリ１０４は、ＤＳＰ１０３で画像変換処理された画像データを一旦記録保存する。バッファメモリ１０４に保存された画像データは、メモリコントローラ１０５により、ハードディスク１０６やＳＤ−ＣＡＲＤ１０７に記録され保存される。バッファメモリ１０４は、ハードディスク１０６やＳＤ−ＣＡＲＤ１０７等の記録媒体への記録を行わずに画像データを容量一杯まで記録し、その後記録媒体への記録を行う場合や、画像の画質やビットレートが高く記録媒体への記録速度が間に合わなくなった場合に一時的に記録する場合などにも使用される。
【００１４】
図２は、電子カメラ１００の背面外観斜視図であり、本体の正面には、図示していないが、撮像レンズ、測光及び測距用のセンサー等が設けられ、背面にはＬＣＤ１０８と、図示していないが、電子カメラ１００の動画や静止画撮像の選択、静止画撮像時の画質設定、撮像日時設定、記録媒体の記録状況や空き容量表示等の各種操作モードを選択入力するボタンやスイッチ等からなるモード設定ボタンが設けられている。また、ＬＣＤ１０８は、タッチパネルも併用されている。
【００１５】
この電子カメラ１００の上面には、動画、または静止画の撮像の開始と終了を指示するシ
ャッタボタン２０１が設けられている。更に、電子カメラ１００の内部には、ハードディスク１０６が設けられ、かつ、ＳＤ−ＣＡＲＤ１０７を着脱するための副記録媒体スロット２０２が設けられている。
【００１６】
このような構成の電子カメラ１００において、動画撮像時に生成されたデジタル動画像データをＳＤ−ＣＡＲＤ１０７に記録する場合の動作について説明する。
電子カメラ１００のモード設定ボタンにより動画撮像モードに選択設定し、シャッタボタン２０１を押下して動画撮像を開始させると、ＣＣＤ１０１において変換された被写体の光学像の電気信号は、ＦＥＰ１０２にてデジタル信号に変換され、ＤＳＰ１０３にて画像データとして変換されてバッファメモリ１０４に一時記憶されると共に、その一時記憶されたデジタル動画像信号を用いてＤＳＰ１０３にて画像表示処理が施されてＬＣＤ１０８に撮像動画像が表示される。更に、ＤＳＰにて変換され一時記憶された画像データがメモリコントローラ１０５によりＳＤ−ＣＡＲＤ１０７に記録される。
【００１７】
次に、動画撮像時に生成されたデジタル動画像データをＳＤ−ＣＡＲＤ１０７に記録する際、画像データがバッファメモリ１０４一杯となり、画像記録を一時停止する場合の動作について、図３のフローチャートを用いて説明する。
【００１８】
まず、電子カメラ１００のシャッタボタン２０１を押下して動画撮像を開始されると（ステップ３０１）、ＣＣＤ１０１において変換された被写体の光学像の電気信号は、ＦＥＰ１０２にてデジタル信号に変換され、さらにＤＳＰ１０３にて所定の画像データに変換されて（ステップ３１０）バッファメモリ１０４に一時記憶される（ステップ３０２）。次に、一時記憶される画像データがバッファメモリ１０４の容量一杯か否かが判断される（ステップ３０３）。バッファメモリ１０４の容量が一杯であると判断された場合にはＤＳＰ１０３によるバッファメモリ１０４への画像データの記録を停止すると共に（ステップ３０４）、メモリコントローラ１０５によるＳＤ−ＣＡＲＤ１０７へのデータの記録が継続される（ステップ３０５）。次に、バッファメモリ１０４への画像データのバッファリングが可能か否かをチェックし（ステップ３０６）、バッファメモリ１０４内の画像データが所定容量になった或いは空になった等の条件に基づいて、バッファリング可能と判断した場合には、ステップ３１０に戻り、ＣＣＤ１０１、ＦＥＰ１０２よりのデジタル信号のＤＳＰ１０３による画像データの変換、バッファメモリ１０４への一時記憶処理が再開される。この場合、画像記録が再開した後の画像データは、画像記録停止前に記録していたファイルと同じファイルに追記される。ステップ３０６にて、バッファリング不可と判断された場合には、記録停止から所定時間経過したか否かが判断され（ステップ３０７）、所定時間経過していない場合には再度ステップ３０６に戻ってバッファリングが可能か否か判断し、所定時間経過している場合には処理を終了させる。
【００１９】
ステップに３０３に戻り、バッファメモリ１０４の容量一杯に達していないと判断された場合には、記録媒体への書き込みが可能か否かを判断し（ステップ３０８）、書き込み不可の場合にはバッファメモリ１０４への一時記憶を継続させ、書き込み可の場合にはＳＤ−ＣＡＲＤ１０７への記録を行う（ステップ３０９）。
【００２０】
このように本実施例によれば、バッファメモリ１０４へ書き込みされる画像データが容量一杯となり、画像記録が停止した場合でも、バッファリングが可能になった時点で再度画像記録処理が自動的に再開されるので、シャッターボタン２０１を押下後、バッファメモリ１０４の容量制限により画像記録が停止したことにユーザが気が付かなくても、所定時間経過後の画像データを継続して記録することができ、重要なシーンを撮り損ねる可能性が低くなる。
【００２１】
上記の実施例においては、画像記録が再開した後の画像データを、画像記録停止前に記録していたファイルと同じファイルに追記するようにしているが、画像記録再開後の画像データを新しいファイルに記録することもできる。また、どちらの方法を採用するかをユーザが予め設定できるようにしても良い。また、画像記録が停止後、その停止条件解消後に画像記録を再開させるか否か、および再開させる回数を予めユーザが設定できるようにしても良い。再開させる回数を設定することにより、ユーザの使い勝手が向上する。
【００２２】
次に、本発明の第二の実施例について、図４のフローチャートを用いて説明する。第二の実施例は、ハードディスク１０６およびＳＤ−ＣＡＲＤ１０７の記録媒体のファイルシステムの制限により、記録する画像データがファイルサイズの上限に達した場合の例であり、例えばＦＡＴ１６では２ＧＢ／ファイル、ＦＡＴ３２では４ＧＢ／ファイルの上限に達した場合の動作である。
【００２３】
まず、電子カメラ１００のシャッタボタン２０１を押下して動画撮像を開始されると（ステップ４０１）、ＣＣＤ１０１において変換された被写体の光学像の電気信号は、ＦＥＰ１０２にてデジタル信号に変換され、さらにＤＳＰ１０３にて所定の画像データに変換されて（ステップ４１２）バッファメモリ１０４に一時記憶される（ステップ４０２）。次に、一時記憶される画像データがバッファメモリ１０４の容量一杯か否かが判断される（ステップ４０３）。バッファメモリ１０４の容量が一杯であると判断された場合にはＤＳＰ１０３によるバッファメモリ１０４への画像データの記録を停止すると共に（ステップ４０４）、メモリコントローラ１０５によるＳＤ−ＣＡＲＤ１０７へのデータの記録が継続される（ステップ４０５）。次に、バッファメモリ１０４への画像データのバッファリングが可能か否かをチェックし（ステップ４０６）、バッファメモリ１０４内の画像データが所定容量になった或いは空になった等の条件に基づいて、バッファリング可能と判断した場合には、ステップ４０１に戻り、ＣＣＤ１０１、ＦＥＰ１０２よりのデジタル信号のＤＳＰ１０３による画像データの変換、バッファメモリ１０４への一時記憶処理が再開される。ステップ４０６にて、バッファリング不可と判断された場合には、記録停止から所定時間経過したか否かが判断され（ステップ４０７）、所定時間経過していない場合には再度ステップ４０６に戻ってバッファリングが可能か否か判断し、所定時間経過している場合には処理を終了させる。
【００２４】
ステップに４０３に戻り、バッファメモリ１０４の容量一杯に達していないと判断された場合には、記録媒体の書き込み先ファイルサイズの上限、例えば２ＧＢに達しているか否かを判断し（ステップ４０８）、上限に達していない場合には記録媒体への書き込みが可能か否かを判断し（ステップ４１０）、書き込み不可の場合にはＳＤ−ＣＡＲＤ１０７への記録を行う（ステップ４１１）。上限に達している場合にはステップ４０４と同様に画像記録を停止する（Ｓ４０９）と共に、画像データ記録のための新しいファイルが作成可能か否かを判断する（ステップ４１０）。新しいファイルの作成が可能な場合、記録媒体への書き込みが可能か否かを判断し（ステップ４１１）、書き込み不可の場合にはバッファメモリ１０４への一時記憶を継続させ、書き込み可の場合にはＳＤ−ＣＡＲＤ１０７への記録を行う（ステップ４１２）。
【００２５】
このように第二の実施例によれば、記録先ファイルのサイズ上限により画像データが記録できなくなった場合には画像記録を一時停止し、新しいファイルを作成して画像記録を自動的に再開させることができるので、重要なシーンの撮り逃しを回避することができる。
【００２６】
また、本実施例では、ステップ４０９にてファイルサイズが上限に達している場合に記録を停止するようにしているが、ステップ４０９をスキップし、ステップ４１０で新しいファイルの作成が可能な場合に画像記録を停止させずに画像記録を継続させても良い。
【００２７】
尚、上記第一および第二の実施例によれば、例えばハードディスク１０７への画像データの書き込みが何らかの原因で一時的にできなくなった場合にも、ステップ３０８或いはステップ４１１にて判断することができる。この場合には一旦バッファメモリ１０４が一杯となり画像記録が停止することとなるが、その後ハードディスク１０７への書き込みが可能となればステップ３０６或いはステップ４０６にてバッファメモリ１０４へのバッファリングも可能となり、画像記録を再開することができる。従って、ハードディスク１０７等の記録媒体への記録が一時的に不可となり、それが解消された場合にも画像記録を再開させることができる。
【００２８】
次に、本発明の第三の実施例について、図５のフローチャートを用いて説明する。第三の実施例は、ＳＤ−ＣＡＲＤ１０７への画像データ記録中に記録容量が一杯となり、画像記録を停止した後、ハードディスク１０６へ記録を再開させるものである。
【００２９】
まず、電子カメラ１００のシャッタボタン２０１を押下して動画撮像を開始されると（ステップ５０１）、ＣＣＤ１０１において変換された被写体の光学像の電気信号は、ＦＥＰ１０２にてデジタル信号に変換され、さらにＤＳＰ１０３にて所定の画像データに変換されて（ステップ５１２）バッファメモリ１０４に一時記憶される（ステップ５０２）。次に、一時記憶される画像データがバッファメモリ１０４の容量一杯か否かが判断される（ステップ５０３）。バッファメモリ１０４の容量が一杯であると判断された場合にはＤＳＰ１０３によるバッファメモリ１０４への画像データの記録を停止すると共に（ステップ５０４）、メモリコントローラ１０５によるＳＤ−ＣＡＲＤ１０７へのデータの記録が継続される（ステップ５０５）。次に、バッファメモリ１０４への画像データのバッファリングが可能か否かをチェックし（ステップ５０６）、バッファメモリ１０４内の画像データが所定容量になった或いは空になった等の条件に基づいて、バッファリング可能と判断した場合には、ステップ５１３に戻り、ＣＣＤ１０１、ＦＥＰ１０２よりのデジタル信号のＤＳＰ１０３による画像データの変換、バッファメモリ１０４への一時記憶処理が再開される。ステップ５０６にて、バッファリング不可と判断された場合には、記録停止から所定時間経過したか否かが判断され（ステップ５０７）、所定時間経過していない場合には再度ステップ５０６に戻ってバッファリングが可能か否か判断し、所定時間経過している場合には処理を終了させる。
【００３０】
ステップに５０３に戻り、バッファメモリ１０４の容量一杯に達していないと判断された場合には、ＳＤ−ＣＡＲＤ１０７の記憶容量に達しているか否かを判断し（ステップ５０８）、容量に達していない場合には記録媒体への書き込みが可能か否かを判断し（ステップ５１１）、書き込み不可の場合にはバッファメモリ１０４への一時記憶を継続させ、書き込み可の場合には記録媒体への記録を行う（ステップ５１２）。容量に達している場合にはステップ５０４と同様に画像記録を停止する（ステップ５０９）と共に、記録先の記録媒体をハードディスク１０６に変更可能か否か判断する（ステップ５１０）。変更可能な場合に、記録媒体への書き込みが可能か否かを判断し（ステップ５１１）、書き込み不可の場合にはバッファメモリ１０４への一時記憶を継続させ、書き込み可の場合には記録媒体への記録を行う（ステップ５１２）。
【００３１】
このように第三の実施例によれば、記録先の記録媒体の容量制限により画像データが記録できなくなった場合には画像記録を一時停止し、記録先の記録媒体を変更して画像記録を自動的に再開させることができるので、重要なシーンの撮り逃しを回避することができる。
【図面の簡単な説明】
【００３２】
【図１】本発明の第一の実施例に係る電子カメラの回路ブロック図。
【図２】本発明の第一の実施例に係る電子カメラの外観斜視図。
【図３】本発明の第一の実施例に係る電子カメラの動作を示すフローチャート図。
【図４】本発明の第二の実施例に係る電子カメラの動作を示すフローチャート図。
【図５】本発明の第三の実施例に係る電子カメラの動作を示すフローチャート図。
【符号の説明】
【００３３】
１００・・・電子カメラ
１０１・・・ＣＣＤ
１０２・・・ＦＥＰ（フロントエンドプロセッサ）
１０３・・・ＤＳＰ（デジタルシグナルプロセッサ）
１０４・・・バッファメモリ
１０５・・・メモリコントローラ
１０６・・・ハードディスク
１０７・・・ＳＤ−ＣＡＲＤ
１０８・・・液晶表示パネル
２０１・・・シャッターボタン
【図１】
2006101136.tif 000003
【図２】
2006101136.tif 000004
【図３】
2006101136.tif 000005
【図４】
2006101136.tif 000006
【図５】
2006101136.tif 000007